(57)【要約】  長寿命で、電力消費の低い各種ＬＥＤ照明光源を提供し、併せてＬＥＤ照明光源の特性を活用して停電時には自動点灯する電灯部を取り外し、懐中電灯として持ち運びできるＬＥＤ照明スタンドを提供する。本発明は、球状体の球面の一部や、棒状体の端面または板状体の側面に１個または複数個配置したＬＥＤユニットと、光を伝搬する導光部と、前記導光部の１側または全体に塗料が塗布された光拡散層と、を含み、前記ＬＥＤユニットは、高輝度白色LEDからなり、前記導光部は、透明性の高いポリカーボネートまたはアクリル樹脂であり、前記光拡散層には、パール塗装が施されていることを特徴とする。【特許請求の範囲】
【請求項１】
球状体の球面の一部や、棒状体の端面または板状体の側面に１個または複数個配置したＬＥＤユニットと、
光を伝搬する導光部と、
前記導光部の１側または全体に塗料が塗布された光拡散層と、
を含むことを特徴とするＬＥＤ照明光源。
【請求項２】
前記ＬＥＤユニットは、高輝度白色LEDからなることを特徴とする請求項１に記載のＬＥＤ照明光源。
【請求項３】
前記導光部は、透明性の高いポリカーボネートまたはアクリル樹脂であることを特徴とする請求項１に記載のＬＥＤ照明光源。
【請求項４】
前記光拡散層には、パール塗装が施されていることを特徴とする請求項１に記載のＬＥＤ照明光源。
【請求項５】
板状体の側面に沿って直線状に複数個配置したＬＥＤユニットと、
側面から入射する光を屈折する長尺透明棒と、
屈折された光を伝播する透明な導光板と、
前記導光板の背面に塗布された光拡散層と、
前記光拡散層に沿って配設された反射板と、
を含むことを特徴とするＬＥＤ照明光源。
【請求項６】
前記ＬＥＤユニットは、高輝度白色LEDからなることを特徴とする請求項５に記載のＬＥＤ照明光源。
【請求項７】
前記長尺透明棒は、断面が略円形をした透明性の高いポリカーボネートまたはアクリル樹脂であることを特徴とする請求項５に記載のＬＥＤ照明光源。
【請求項８】
前記光拡散層にはパール塗装を施し、単位面積当りの塗料塗布量が前記高輝度白色LEDユニットから離れるに従い多くなるようにしたことを特徴とする請求項５に記載のＬＥＤ照明光源。
【請求項９】
棒状体の端面の１端または両端に配置したＬＥＤユニットと、
光を伝搬する導光棒と、
前記導光棒の円周方向の１／３乃至２／３を覆い、前記導光棒の全長にわたり塗料が塗布された光拡散層と、
を含むことを特徴とするＬＥＤ照明光源。
【請求項１０】
前記ＬＥＤユニットは、高輝度白色LEDからなることを特徴とする請求項９に記載のＬＥＤ照明光源。
【請求項１１】
前記導光棒は、透明性の高いポリカーボネートまたはアクリル製であることを特徴とする請求項９に記載のＬＥＤ照明光源。
【請求項１２】
前記光拡散層は、パール塗装されていることを特徴とする請求項９に記載のＬＥＤ照明光源。
【請求項１３】
前記導光棒の表面には透明なブルー塗装が施されていることを特徴とする請求項９に記載のＬＥＤ照明光源。
【請求項１４】
球状体の球面の一部に１個または複数個配置されたＬＥＤユニットと、
光を伝搬する導光部と、
前記ＬＥＤユニットが１個または複数個配置された光導入部を除く球面に塗料が塗布された光拡散層と、
を含むことを特徴とするＬＥＤ照明光源。
【請求項１５】
前記ＬＥＤユニットは、高輝度白色LEDからなることを特徴とする請求項１４に記載のＬＥＤ照明光源。
【請求項１６】
前記球状体は、透明性の高いポリカーボネートまたはアクリル樹脂からなることを特徴とする請求項１４に記載のＬＥＤ照明光源。
【請求項１７】
前記光拡散層は、パール塗装されていることを特徴とする請求項１４に記載のＬＥＤ照明光源。
【請求項１８】
支柱付スタンドベースと、
部分的にパール塗装した中実球に高輝度白色ＬＥＤを取付け、前記支柱付スタンドベースに着脱可能で、停電時に自動点火して懐中電灯とすることが可能なＬＥＤ電灯ユニットと、
前記支柱付スタンドベースに内蔵された充電器と、
前記充電器により充電され、停電時には前記ＬＥＤ電灯ユニットに電気を供給する蓄電池と、
を含むことを特徴とする停電時自動点灯ＬＥＤスタンド。
【発明の詳細な説明】
【技術分野】
【０００１】
本発明はＬＥＤ（Ｌｉｇｈｔ  Ｅｍｉｔｔｉｎｇ  Ｄｉｏｄｅ）照明光源およびＬＥＤ照明スタンドに係り、より詳細には、各種表示装置に用いられるバックライト光源などのＬＥＤ面状照明光源や、冷蔵・冷凍庫や収納キャビネット等の庫内灯に用いられるＬＥＤ照明光源、および、ＬＥＤ照明光源を内蔵し、通常時は電気スタンドとして使用し、停電時には自動点灯する電灯部を取り外し、懐中電灯として持ち運びできるＬＥＤ照明スタンドに関するものである。
【背景技術】
【０００２】
一般的な照明光源である蛍光管や白熱電球は、発生熱等のため寿命が短く、照明光源交換のためのメンテナンスが必要になる。特に白熱電球の交換は狭い場所や高所であるためメンテナンスフリーの要望が強い。
蛍光管の定格寿命は6000時間程度であり、電球より5〜６倍長持ちするが十分なものとは言えないため、少ない消費電力で、半永久的に劣化のない照明光源が望まれている。【０００３】
また、バックライト照明等に多用され、平面領域をほぼ均一に照明する面光源装置がある。この面光源装置は、一般に透明な導光板の側面に近接して直管状の光源を配置し、その光源から導光板の側面に入射した光が導光板内をその裏面と表面（光出射面）で反射されながら伝播し、その表面から順次射出して照明するように構成されている。【０００４】
このような面光源装置では、導光板の光射出面全体が均一な明るさで発光するよう工夫されている。例えば、特開平１−２４１５９０号公報に開示された発明は、透明な導光板の側面に近接して蛍光ランプ等の直管状光源を配置し、その導光板の下面を光拡散面となし、その光拡散面に白色塗料を塗布した部分と塗布しない部分を混在させて、その単位面積当りの塗布面積が光源から離れるに従って大きくなるように変化させたものである。【０００５】
この面発光装置では、光源から導光板の内部に入射した光は、その光拡散面と光出射面（表面）に反射されて伝播するが、光拡散面の白色塗料が塗布されている部分に当ると拡散されて光出射面から外部に射出される。白色塗料が塗布されていない部分に当ると、その光の光拡散面への入射角が臨界角より大きければ全反射されてさらに導光板の内部を伝播し、臨界角より小さければ通過して外部に漏れる。【０００６】
光拡散面の単位面積当りの白色塗料塗布面積が、光源から離れるに従って大きくなるので、光拡散面で拡散されて光出射面（表面）から外部に射出される光量も多くなる。それによって、光源から離れるに従って光の強度が弱くなるのを補い、導光板の輝度が均一化されるようにしている。しかしながら、このような従来の面光源では、光源からの光が導光板内を伝播して到達できる距離が比較的小さいために、面表示装置としての薄型大型化には限りがあり、また大型化に伴う長寿命化及び省電力化も併せて求められていた。【０００７】
近年、白色ＬＥＤが次世代の光源として注目され、電源回路が簡単で低電力であるとともに寿命も５万時間と長いため、メンテナンスを必要とする個所に使用することが有効とされている。
しかし、ＬＥＤ光は強い指向性があるため、例えば、卓上用ライトや自転車用ライト等の所定の範囲を照明するには適しているが、広範囲に亘る明るさ（照度）が要求される個所の照明光源としては不十分であった。【０００８】
また、従来、電気スタンドは、蛍光灯や白熱灯を光源しており、災害
停電時等の非常用対策としては所定の場所に懐中電灯を備えておくことが行われていた。
即ち、就寝時等の明かりと、停電時に必要な明かりの設置場所は関連付けられていなかった。そのため、一般家庭において、災害等により深夜停電が発生した際に、直ちに行動するに必要な明かりは身近に備っていなかった。
【特許文献１】特開平１−２４１５９０号公報
【発明の開示】
【発明が解決しようとする課題】
【０００９】
本発明の目的は、長寿命で、電力消費の低い各種ＬＥＤ照明光源を提供し、併せてＬＥＤ照明光源の特性を活用して停電時には自動点灯する電灯部を取り外し、懐中電灯として持ち運びできるＬＥＤ照明スタンドを提供することにある。
【課題を解決するための手段】
【００１０】
本発明は、球状体の球面の一部や、棒状体の端面または板状体の側面に１個または複数個配置したＬＥＤユニットと、光を伝搬する導光部と、
前記導光部の１側または全体に塗料が塗布された光拡散層と、を含むことを特徴とする。【００１１】
前記ＬＥＤユニットは、高輝度白色LEDからなり、前記導光部は、透明性の高いポリカーボネートまたはアクリル樹脂であり、前記光拡散層には、パール塗装が施されていることを特徴とする。【００１２】
また、本発明は、板状体の側面に沿って直線状に複数個配置したＬＥＤユニットと、側面から入射する光を屈折する長尺透明棒と、屈折された光を伝播する透明な導光板と、前記導光板の背面に塗布された光拡散層と、前記光拡散層に沿って配設された反射板と、を含むことを特徴とする。【００１３】
前記ＬＥＤユニットは、高輝度白色LEDからなり、前記長尺透明棒は、断面が略円形をした透明性の高いポリカーボネートまたはアクリル樹脂であり、前記光拡散層にはパール塗装を施し、単位面積当りの塗料塗布量が前記高輝度白色LEDユニットから離れるに従い多くなるようにされたことを特徴とする。【００１４】
棒状体の端面の１端または両端に配置したＬＥＤユニットと、光を伝搬する導光棒と、前記導光棒の円周方向の１／３乃至２／３を覆い、前記導光棒の全長にわたり塗料が塗布された光拡散層と、を含むことを特徴とする。【００１５】
前記ＬＥＤユニットは、高輝度白色LEDからなり、前記導光棒は、透明性の高いポリカーボネートまたはアクリル製であり、前記光拡散層は、パール塗装され、前記導光棒の表面には透明なブルー塗装が施されていることを特徴とする。【００１６】
また、本発明は、球状体の球面の一部に１個または複数個配置されたＬＥＤユニットと、光を伝搬する導光部と、前記ＬＥＤユニットが１個または複数個配置された光導入部を除く球面に塗料が塗布された光拡散層と、を含むことを特徴とする。【００１７】
前記ＬＥＤユニットは、高輝度白色LEDからなり、前記球状体は、透明性の高いポリカーボネートまたはアクリル樹脂であり、前記光拡散層は、パール塗装されていることを特徴とする。【００１８】
また、本発明は、支柱付スタンドベースと、部分的にパール塗装した中実球に高輝度白色ＬＥＤを取付け、前記支柱付スタンドベースに着脱可能で、停電時に自動点火して懐中電灯とすることが可能なＬＥＤ電灯ユニットと、前記支柱付スタンドベースに内蔵された充電器と、前記充電器により充電され、停電時には前記ＬＥＤ電灯ユニットに電気を供給する蓄電池と、を含むことを特徴とする。
【発明の効果】
【００１９】
本発明によれば、長寿命で、電力消費量が少ないＬＥＤ照明が可能となる。特に面照明に関しては、大型で均一なＬＥＤ面照明が可能となる。
また、停電時自動点灯ＬＥＤスタンドは、一般家庭やホテル等で、通常時は電気スタンドとして使用し、就寝後における不測の災害停電に際しては、自動点灯し、懐中電灯としても使用可能であるため、停電に不安にならずに対処することが可能となり、防災上有効な手段となる。
【図面の簡単な説明】
【００２０】
【図１】本発明による面状照明光源の概略図である。
【図２】(a)は本発明による実施形態の説明図、(b)は従来例の説明図である。
【図３】本発明の光拡散層の表面を示す図である。
【図４】本発明の光拡散層表面での光の散乱状態を示す図である。
【図５】本発明による直線状照明光源の概略図である。
【図６】本発明による導光棒部の断面と光の散乱状体を示す図である。
【図７】本発明による導光棒部の１端部にＬＥＤ光源を設けた直線状照明光源の概略図である。
【図８】本発明による電球形ＬＥＤの外観を示す図である。
【図９】本発明による電球形ＬＥＤの断面と光の散乱状況を示す図である。
【図１０】(a)は本発明による塗装反射膜における光の散乱状況を示す図である。        (b)は上記(a)の位置を示す図である。
【図１１】本発明の停電時自動点灯ＬＥＤスタンドの概略図である。
【図１２】本発明の停電時自動点灯ＬＥＤスタンドの概略図である。
【図１３】本発明の停電時自動点灯ＬＥＤスタンドから取り外されたＬＥＤユニットを示す図である。
【符号の説明】
【００２１】
１ 長尺透明棒
２ 導光板
３ 光拡散層
４ 反射板
５、７ 高輝度白色LED ユニット
６ 雲母微片
８ 導光棒
９ 反射膜塗装
１０、１６ 中実球
１１ 口金部
１２ 支柱付きスタンドベース
１３ 電灯カバー
１４
LED電灯ユニット
１５ 充電器
１６ アクリル球
１７ 高輝度白色LED
１８ 蓄電池
【発明の実施の形態】
【００２２】
ＬＥＤ、すなわち、発光ダイオードは、順方向に電圧を加えた際に発光する半導体素子のことを言う。発光色は用いる材料によって異なり、紫外線領域から可視光域、赤外線領域で発光するものまで製造できる。
発光時の消費電流は表示灯用途では数mA〜50mA程度であるが、照明用途のものでは消費電力が数W単位の大出力の発光ダイオードや、駆動電流が1Aを越えるものもある。
【００２３】
ＬＥＤでは、蛍光灯や白熱灯など他の多くの光源と異なり、不要な紫外線や赤外線を含まない光が簡単に得られる。このため紫外線に敏感な文化財や芸術作品や、熱照射を嫌う物の照明に用いられる。入力電圧に対する応答が速く、通信などにも利用されるほか、照明に用いた場合は点灯と同時に最大光量が得られる。
構造が簡単なため、大量生産が可能で、安価である。
電球のようにフィラメントを使わないため、小型で振動に強く、長寿命で故障率も低い特徴を有する。しかし、製品によっては、直視すると目に悪影響を与える恐れがある。
【００２４】
LEDの光は赤や緑、青などの単色であるため、白色を得るには、赤+緑+黄のLEDを同時に発光させる方法、青色+蛍光体で白色を得る方法等を採用する必要がある。また、LEDが光る部分はわずか米粒程度で指向性が強いため、照明として利用するには、光る部分をもっと大きくする必要があり、白色LEDの数を増やして発光部分の面積を増やすか、散光板を使って発光面積を大きくする必要がある。
【００２５】
以下、図面を参照しながら本発明の実施形態について詳細に説明する。
【実施例１】
【００２６】
図１は本発明による面状照明光源の断面を示したものであり、板状体の側面に沿って直線状に複数個配置したＬＥＤユニット５と、側面から入射する光を屈折する長尺透明棒１と、屈折された光を伝播する透明な導光板２と、導光板２の背面に塗布された光拡散層３と、光拡散層３に沿って配設された反射板４とから構成されている。【００２７】
ＬＥＤユニット５は、高輝度白色LEDからなり、長尺透明棒１は、断面が略円形で、導光板の厚みとほぼ同じ直径を有する透明性の高いアクリル樹脂からなる。長尺透明棒１は、入射光の屈折、散乱、集光のレンズ効果を有する。アクリル樹脂は、高い透明性、屈折率と耐衝撃性を有し、熱可塑形成・着色が容易で、優れた耐候性を示すことから、無機ガラスの代用品として建築や乗物の窓材、照明機具、看板、日用品などに利用される。【００２８】
導光板２は、アクリル樹脂製で、厚みがほぼ一定の長方形平板状に成形される。背面の光拡散層３には、図３に示すような出射光を拡散するためのパール塗装を施し、単位面積当りの塗料塗布量が高輝度白色LEDユニット５から離れるに従い多くなるようにしている。
パール塗装のパールとは、石の雲母（マイカ）の微細な粒のことで、これは半透明の膜が幾重にも積み重ねた構造になっており、光が当たると、透過しつつ各層ごとに複雑な反射・屈折をして真珠のような独特の光輝感を生み出す。マイカにも、サイズ、色目ともいくつか種類がある。 パール塗装は、ソリッドカラーにマイカを混ぜて塗装し、その上にクリヤー塗装を施す。【００２９】
図１に示す通り、LED 光源を点灯すると光源からの光は透明棒1 を経て、導光板２の端部から内部に導入され、導入された光は黒矢印で示したように反射膜塗装で反射を繰返して白矢印で示したように表面から外部に出るため、導光板の表面が均一に明るくなって面照明することが出来る。【００３０】
その際、透明棒1 は、屈折、散乱と集光のレンズ効果により２つの役割を有する。
透明棒１の第１の役割は光源からの光をより遠くまで到達させることであり、その結果、面表示装置として薄型大型化を可能にする。
他の条件を一定にして、透明棒１を使用せず、光源が直接導光板２と接しているものと、透明棒１を使用したものとを比較して光の到達距離を比較した結果は以下の通りであった。
すなわち、透明棒１を使用しない8mm 厚さの導光板２では、光の到達距離が２０cm であったのに比べて、透明棒１を使用したものでは３４cm と光をより遠くまで到達させることができた。【００３１】
透明棒１の第２の役割は、導光板２の側面にある入光部近傍での光の広がる範囲を拡大させて、出射光を均一にすることである。図２（ｂ）に斜線部で示す通り、LED 光源は光の指向性が強く、光源部が存在しない部位に対応する導光板２に光量が非常に小さくなった暗部 が生じる。この暗部は、導光板の入光部として設けた透明棒１の入射光を屈折・散乱する機能により、図２ (ａ)に示すように、導光板内での光の広がる範囲が拡大されて、暗部B を小さくすることができる。【００３２】
図３は導光板の背面にパール塗装された光拡散層の表面を示したものである。光拡散層は単位面積当りの塗布量（塗膜厚）が、光源から離れるに従い大きくなるように構成されているため、光源の近傍では光拡散層によって拡散される光が少なく、導光板の内部を伝播する光が多い。一方光源から離れた部分では光拡散層によって拡散される光が多くなる。
その結果、外部に出射される光の量が適当に制御されて、光源からの距離に関係なく一様に光る面照明が得られる。
なお外部に出射される光は、光拡散層において拡散された光に、塗布部分から洩れ反射板４により反射される光が加算されるが、予めそれを想定して光拡散層を形成することによってその影響をなくすることができる。【００３３】
図４は導光板の背面にパール塗装された光拡散層表面での光の散乱状態を模擬的に示したものである。パール塗装は雲母微片６が分散しているため、光の反射率が高いことと、光の散乱及び拡散に優れていることにより、面状照明光源の明るさの均一化に有効に作用する。
【実施例２】
【００３４】
図５は、本発明の実施例２に係る直線状照明光源の概念図である。
実施例２の直線状照明光源は、図５に示す通り、棒状体の端面の１端または両端に配置した高輝度白色のＬＥＤユニット７と、光を伝搬する透明性の高いアクリル製の導光棒８と、導光棒の円周方向の１／３を覆い、導光棒８の全長にわたりパール塗料が塗布された光拡散層３と、から構成されている。アクリル製の導光棒８の正面部全面に透明なブルー塗装を施し、ギラギラ感を抑えるようにしている。【００３５】
図６はアクリル導光棒８の断面図で、光の散乱状況を黒矢印で模擬的に示している。導光棒８の内部に導入した光は黒矢印で示したように反射膜塗装９で反射し、均一な面照明が得られる。ＬＥＤ光源の光は導光棒８を透過するとともに光量が減少してくるので、長尺の照明光源を得る場合には図５に示すように導光棒８の両端部にＬＥＤ光源を設け、長手方向に均一な照明が得られるようにする。【００３６】
図３はアクリル導光棒８の１端だけにＬＥＤ光源を設けた直線状照明光源を示す。図において、ＬＥＤ光源７を点灯すると光源からの光は透明アクリルからなる導光棒８の端部から内部に入り、入った光は黒矢印で示したように反射膜塗装９で反射を繰返し、白矢印で示すように表面から外部に出る。導光棒８の１端からに入った光の一部は他端部に向けて内部を透過し、他端部の反射膜で反射を起し、導光棒８表面を均一に面照明する。
【実施例３】
【００３７】
図８、９は、本発明の実施例３に係る電球型ＬＥＤの概念図である。
実施例３の電球型ＬＥＤは、図８、９に示す通り、光を伝搬する導光部でもあるアクリル樹脂からなる中実球１０と、中実球１０の球面上に配置されたＬＥＤユニット７と、光拡散層で球面にパール塗装が施された反射膜塗装部９と、ＬＥＤユニット７を内部に収容した口金部１１と、から構成されている。
反射膜塗装部９は、ＬＥＤ光源に近接した光導入部を除いて、アクリル中実球表面に単位面積当りの塗料塗布量がＬＥＤ光源から離れるに従い多くなるように形成されている。口金は、従来の電球ソケットにそのまま使用できるように汎用性を持たせている。【００３８】
図９はアクリル中実球１０の断面図で、光の散乱状況を矢印で模擬的に示している。ＬＥＤ光源７を点灯すると光源からの光は透明アクリル中実球１０の内部に入り、光の一部は直接外部へ出射し、残りは黒矢印で示すように反射膜塗装部９で反射を繰返し、白矢印で示すように表面から外部に出るため、中実球１０の表面が均一に明るくなって、広角度に照明することが出来る。図には表示していないが、光が通過する中実球全表面に透明なブルー塗装を施すか、中実球に蛍光塗料を混入して、より明るくかつ美しく照明することができる。【００３９】
図１０（a）は、図１０（Ｂ）のＣ部の拡大図で、パール塗装反射膜における光の散乱状況を矢印で模擬的に示したものである。
パール塗装の単位面積当りの塗布量が、ＬＥＤ光源から離れる程、多くなるように形成されているので、散乱光はランプ全体を明るくし、肉眼で美しく見ることが出来る。
【実施例４】
【００４０】
図１１−１３は、本発明の実施例４に係る停電時自動点灯ＬＥＤスタンドの概略図である。
実施例４の停電時自動点灯ＬＥＤスタンドは、支柱付スタンドベース１２と、電灯カバー１３と、部分的にパール塗装した透明アクリル製中実球１６に高輝度白色ＬＥＤ１７を取付け、支柱付スタンドベース１２に着脱可能で、停電時に自動点火して取り外せば懐中電灯とすることが可能なＬＥＤ電灯ユニット１４と、支柱付スタンドベース１２に内蔵された充電器１５と、充電器１５により充電され、停電時にはＬＥＤ電灯ユニット１４に電気を供給する蓄電池１８と、を含んで構成されている。
停電時自動点灯ＬＥＤスタンドはコンセントを電源にセットすると、充電器１５を通して蓄電池１８に充電が行われるようになっている。【００４１】
就寝前に枕元に明かりが必要なときには、点灯すると、図１の高輝度白色ＬＥＤ１７からの光は、中実球１６の端部から内部に入り、黒矢印で示したように指向性をもってアクリル球１６の外部に出る。その際に、中実球１６はレンズ効果を発揮して、指向性をもったピンポイント照射の光を、均一な幅広がりを有する面を照射する光へと変換する。また、中実球１６の一部表面には薄いパール塗装が施されるが、これは中実球１６内で乱反射した光がパール塗装で更に乱反射して柔らかな明かりとなって枕元に達するようにする効果をもつ。【００４２】
中実球１６を出射した光は、その先にある電灯カバー１３で反射して白矢印で示すように枕元を照明する。電灯カバー１３の断面は球状をなし、その壁体は例えばアクリル又は他の好適な合成樹脂からなり、内側の１部面上には、光を反射し、従って鏡として作用する媒体、
例えばアルミニウム蒸着膜が設けられている。【００４３】
図１３はスタンドベースから取り外され、懐中電灯として機能するＬＥＤ電灯ユニットを示す。通常時は電気スタンドの光源として使用されるが、停電時には自動点灯する。スタンドベースへの取付がマグネット又はメカニカルに行われているため、ワンタッチで容易に取り外すことができる。ＬＥＤ電灯ユニット１３は消費電力が少ないため発熱が殆どなく、ガラス等の割れ易い材料がないため安全性も高い。パール塗装した中実球１６の効果により正面方向を均一に照射する懐中電灯が得られる。
【図１】
2007032187.tif 000002
【図３】
2007032187.tif 000003
【図４】
2007032187.tif 000004
【図５】
2007032187.tif 000005
【図６】
2007032187.tif 000006
【図７】
2007032187.tif 000007
【図８】
2007032187.tif 000008
【図９】
2007032187.tif 000009
【図１１】
2007032187.tif 000010
【図１２】
2007032187.tif 000011
【図１３】
2007032187.tif 000012
【図２】
2007032187.tif 000013
【図１０】
2007032187.tif 000014
【国際調査報告】
2007032187.tif 000015
2007032187.tif 000016
2007032187.tif 000017
2007032187.tif 000018